(57)【要約】【課題】振動を受けても容器を安定して保持できるカップホルダを提供する。【解決手段】カップホルダ（２）は、容器の底を支えるテーブル（８）と、容器の側面を押さえる可動保持体（１２）とを備える。テーブルは所定の範囲で上下動可能であり、可動保持体は容器の幅に合わせて幅方向に移動可能である。容器を入れると、可動保持体が容器の幅に合わせて押し広げられた後、テーブルは下降してテーブルの下方に配置されたリンク片（１６）に係合する。リンク片と可動保持体とは互いに連動して動くように連結しているため、テーブルがリンク片に係合すると、可動保持体がロックされる。容器が挿入された状態では、可動保持体がロックされているため、カップホルダは、振動を受けても容器を安定して保持できる。【選択図】図３
2016159659.tif 000002
【特許請求の範囲】
【請求項１】
容器を保持するためのカップホルダであって、
対象構造物に固定されるハウジングと、
容器を支持するための上面を有し、前記ハウジングに上下動可能に支持されるテーブルと、
前記テーブルを上方に付勢するテーブル付勢手段と、
前記テーブルの前記上面に載置された容器の側面に対して、少なくともその一部が近接離反し得るように前記ハウジングに支持された可動保持体と、
前記可動保持体を容器の側面に向けて近接する方向に付勢する保持体付勢手段と、
前記可動保持体と連動して、前記テーブルの下面側にて変位可能なリンク片とを備え、
前記テーブルが前記テーブル付勢手段の付勢力に抗して下降した位置にあるときに、前記可動保持体が容器の側面に対して少なくとも離反する方向に動かないように、前記リンク片と前記テーブルの対応する下面部分とに、複数の相対位置にて互いに係合可能な係合構造が設けられていることを特徴とするカップホルダ。
【請求項２】
前記可動保持体は、互いに協働して容器の側面を挟持すべく複数設けられ、
前記リンク片は、前記可動保持体に対応して複数設けられ、
複数の前記可動保持体は、互いに独立に、容器の側面に対して、少なくともその一部が近接離反し得ることを特徴とする請求項１に記載のカップホルダ。
【請求項３】
前記係合構造は、前記リンク片及び前記テーブルの前記下面部分の一方に設けられた凸部と、前記リンク片及び前記テーブルの前記下面部分の他方に設けられて前記凸部が複数の相対位置にて係合可能な複数の凹部又は孔とを有することを特徴とする請求項１又は２に記載のカップホルダ。
【請求項４】
前記可動保持体及び前記リンク片は、一端側において互いに共通の上下方向軸を中心として回動可能であり、前記複数の凹部又は孔は、前記上下方向軸を中心とした円弧線上に配置されることを特徴とする請求項３に記載のカップホルダ。
【請求項５】
前記凸部は、前記テーブルの下面から下方に突出した円柱形状または円筒形状の１つのボスからなり、
前記複数の凹部又は孔は、前記リンク片に形成された複数の孔からなり、その各々が互いに隣接する他の孔と連通していることにより、中間部に狭窄部が形成された１つの長孔を形成していることを特徴とする請求項３又は４に記載のカップホルダ。
【請求項６】
前記係合構造は、前記リンク片及び前記テーブルの前記下面部分の一方に設けられた複数の凸部と、前記リンク片及び前記テーブルの前記下面部分の他方に設けられて前記複数の凸部に複数の位置にて係合可能な凹部又は孔とを有することを特徴とする請求項１又は２に記載のカップホルダ。
【請求項７】
前記可動保持体は、容器に対する離反方向に凸に湾曲しており、
前記可動保持体の容器側の面には、上方に向かうに従って容器から離反する方向に向かう傾斜面が形成されていることを特徴とする請求項１乃至６のいずれかに記載のカップホルダ。
【発明の詳細な説明】
【技術分野】
【０００１】
本発明は、容器を保持するカップホルダに関し、特に、自動車の車室内に設置されて飲料容器を保持するカップホルダに関する。
【背景技術】
【０００２】
自動車の車室内に設置されるカップホルダについては、様々なものが公知となっている。例えば、特許文献１に記載のカップホルダは、コンソールボックスに設けられるものであって、容器を受容する凹部と、凹部の底に設けられて上下動可能な底板と、概ね上下方向に延在するように凹部の外部に配置されて底板の上下動に連動して回動することにより上端部分が凹部に突入する１対のアームと、アームを容器を解放する方向に付勢するばねとを備える。容器が凹部に挿入されると、容器の重さで底板が下方に移動する。底板の移動に連動してアームが回動し、アームの上端部分が側方から凹部に突入して容器の側部を挟持する。容器を取り除くと、ばねの付勢力によって、アームが逆方向に回動してアームの上端部分間距離が広がるとともに、底板が上昇する。
【先行技術文献】
【特許文献】
【０００３】
【特許文献１】実開昭５７−６７８３８号公報
【発明の概要】
【発明が解決しようとする課題】
【０００４】
カップホルダには、様々な径の容器を保持できることが求められる。また、自動車のように移動して揺れるものに取り付けられるカップホルダには、容器を転倒させないことが求められる。例えば、カップホルダの容器の収容スペースを径が広くかつ底が深いものにすれば、大きな径の容器を保持できるとともに容器の転倒を防止できる。しかし、自動車の車室内のスペースを広くするために、カップホルダの小型化が求められる場合がある。この場合、高さ方向の寸法を小さくするため、カップホルダの底を浅くすることになる。底を浅くした場合、容器を安定させるためには、カップホルダが容器の側面を挟持することが有効である。さらに、異なる径の容器を収容するには、特許文献１に記載のカップホルダのように、容器を挟持するための部材が可動であることが必要となる。
【０００５】
しかし、特許文献１に記載のカップホルダの構造では、容器を挟持するアームが底板と連動しており、さらに、容器を解放する方向に付勢力を受けているため、自動車が揺れ又は振動すると、容器によってアームが押され、又は容器がわずかに浮き上がった拍子に底板が上昇することにより、アームによる挟持が解放されて、容器が転倒するおそれがあった。
【０００６】
本発明は、以上の背景を鑑み、揺れや振動を受けても容器を安定して保持できるカップホルダを提供することを目的とする。
【課題を解決するための手段】
【０００７】
本発明のある側面は、容器を保持するためのカップホルダ（２）であって、対象構造物（４）に固定されるハウジング（６）と、容器を支持するための上面を有し、前記ハウジングに上下動可能に支持されるテーブル（８）と、前記テーブルを上方に付勢するテーブル付勢手段（１０）と、前記テーブルの前記上面に載置された容器の側面に対して、少なくともその一部が近接離反し得るように前記ハウジングに支持された可動保持体（１２）と、前記可動保持体を容器の側面に向けて近接する方向に付勢する保持体付勢手段（１４）と、前記可動保持体と連動して、前記テーブルの下面側にて変位可能なリンク片（１６）とを備え、前記テーブルが前記テーブル付勢手段の付勢力に抗して下降した位置にあるときに、前記可動保持体が容器の側面に対して少なくとも離反する方向に動かないように、前記リンク片と前記テーブルの対応する下面部分とに、複数の相対位置にて互いに係合可能な係合構造（６６，７２）が設けられていることを特徴とする。
【０００８】
この構成によれば、テーブルとリンク片とが互いに係合することによって、リンク片と連動する可動保持体の離反方向への移動がロックされる。そのため、自動車等の対象構造物が横に揺れ又は振動しても、可動保持体は容器に対する離反方向に動かないため、カップホルダは容器を保持した状態を維持でき、容器の転倒が防止される。
【０００９】
本発明の他の側面は、上記構成において、前記可動保持体は、互いに協働して容器の側面を挟持すべく複数設けられ、前記リンク片は、前記可動保持体に対応して複数設けられ、複数の前記可動保持体は、互いに独立に、容器の側面に対して、少なくともその一部が近接離反し得ることを特徴とする。
【００１０】
この構成によれば、可動保持体が複数設けられ、その各々が複数の係合位置を有するため、ロック時の可動保持体間の距離の設定範囲が広がり、様々な大きさの容器を保持することができる。
【００１１】
本発明の他の側面は、上記構成において、前記係合構造は、前記リンク片及び前記テーブルの前記下面部分の一方に設けられた凸部（７２）と、前記リンク片及び前記テーブルの前記下面部分の他方に設けられて前記凸部が複数の相対位置にて係合可能な複数の凹部又は孔（６６）とを有することを特徴とする。
【００１２】
この構成によれば、凸部と凹部又は孔とは、係合した状態において、上下方向に所定の長さだけかみ合った状態となり、設置対象物が上下に振動することにより、テーブルがハウジングに対して上下に振動しても、そのかみ合った長さより小さい振動ならば、係合状態が維持され、容器の保持を維持できる。
【００１３】
本発明の他の側面は、上記構成において、前記可動保持体及び前記リンク片は、一端側において互いに共通の上下方向軸を中心として回動可能であり、前記複数の凹部又は孔は、前記上下方向軸を中心とした円弧線上に配置されることを特徴とする。
【００１４】
この構成によれば、簡易かつ省スペースな構成で、可動保持体とリンク片とを互いに連動させることができ、カップホルダの小型化が可能となり、容器の幅のわずかな違いにも対応して可動保持体は容器を挟持することができる。
【００１５】
本発明の他の側面は、上記構成において、前記凸部は、前記テーブルの下面から下方に突出した円柱形状又は円筒形状の１つのボスからなり、前記複数の凹部又は孔は、前記リンク片に形成された複数の孔からなり、その各々が互いに隣接する他の孔と連通していることにより、中間部に狭窄部（６８）が形成された１つの長孔（７０）を形成していることを特徴とする。
【００１６】
この構成によれば、各々のリンク片に形成された孔が互いに近接しているため、ロック時の可動保持体間の距離の微調整が可能となる。
【００１７】
本発明の他の側面は、上記の第１及び第２の構成において、前記係合構造は、前記リンク片及び前記テーブルの前記下面部分の一方に設けられた複数の凸部と、前記リンク片及び前記テーブルの前記下面部分の他方に設けられて前記複数の凸部に複数の位置にて係合可能な凹部又は孔とを有する。
【００１８】
この構成によれば、上記の第３の構成と同様に、凸部と凹部又は孔とは、係合した状態において、上下方向に所定の長さだけかみ合った状態となり、設置対象物が上下に振動することにより、テーブルがハウジングに対して上下に振動しても、そのかみ合った長さより小さい振動ならば、係合状態が維持され、容器の保持を維持できる。
【００１９】
本発明の他の側面は、上記構成のいずれかにおいて、前記可動保持体は、容器に対する離反方向に凸に湾曲しており、前記可動保持体の容器側の面には、上方に向かうに従って容器から離反する方向に向かう傾斜面（５６）が形成されていることを特徴とする。
【００２０】
この構成によれば、容器をカップホルダに挿入すると、容器の底が傾斜面を摺動して、容器の収容空間が広がるように可動保持体を移動させる。そのため、使用者に煩雑な作業を要求することなく、容易に、カップホルダの収容空間の幅を容器の幅に合わせることができる。
【発明の効果】
【００２１】
本発明によれば、揺れや振動を受けても容器を安定して保持できるカップホルダを提供することができる。
【図面の簡単な説明】
【００２２】
【図１】実施形態に係るカップホルダが組み込まれた自動車車室内を示す斜視図
【図２】実施形態に係るカップホルダの斜視図
【図３】実施形態に係るカップホルダの分解斜視図
【図４】実施形態に係るカップホルダにおいて、筒部材、テーブル及び圧縮コイルばねを省略した斜視図
【図５】実施形態に係るカップホルダのテーブル及びリンク片の底面図
【図６】実施形態に係るカップホルダの平面図
【図７】図６におけるＡ−Ａ線の断面図（非係合状態）
【図８】図６におけるＡ−Ａ線の断面図（係合状態）
【発明を実施するための形態】
【００２３】
以下、図面を参照して、本発明の実施形態を説明する。図１は、本実施形態に係るカップホルダ２を自動車の車室内のインストルメントパネル４の側部の上面に組み込んだ状態を示す。
【００２４】
図２〜図６に示すように、カップホルダ２は、インストルメントパネル４（図１参照）に固定されるハウジング６と、ハウジング６に上下動可能に支持されるテーブル８と、テーブル８を上方に付勢するテーブル付勢手段である圧縮コイルばね１０と、容器を側方から支持するべくハウジング６に支持された可動保持体１２と、可動保持体１２を容器の側面に向けて付勢する保持体付勢手段であるねじりコイルばね１４と、可動保持体１２と連動してテーブル８の下面側にて変位可能なリンク片１６とを備える。
【００２５】
ハウジング６は、カップホルダ２の底部を形成してインストルメントパネル４に固定されるベース部材１８と、ベース部材１８の上面に取り付けられて他の部材を包囲する円筒形状の筒部材２０とを有する。ベース部材１８は、平面視で概ね円板形状を呈する底板２２と、底板２２の周縁に上方に向かって立設された周壁２４とを有する。ベース部材１８には、周壁２４の外側に膨出した位置に、カップホルダ２をインストルメントパネル４に固定するためのねじ孔２６が３つ設けられている。３つのねじ孔２６は、互いに等間隔で配置されている。筒部材２０の上端には、内側に円環状に張り出したフランジ２８が形成されている。筒部材２０には、上下方向に延びるスリット３０が形成されており、スリット３０の下端を画定する面をベース部材１８の周壁２４の外面に設けられた爪３２に係合させることによって、筒部材２０は、ベース部材１８に固定される。
【００２６】
テーブル８は、主面が上下方向を向いた円板状を呈するテーブル本体３４と、テーブル本体３４の周縁に上方に立設された縁壁３６とを有する。テーブル８は、ベース部材１８の底板２２の上方に位置し、かつ周壁２４の内側に受容されるように配置される。縁壁３６の外側には、上下方向に延在するガイド突条３８が３つ形成されており、３つのガイド突条３８は互いに等間隔の位置に設けられる。ベース部材１８の周壁２４の内側には、３つのガイド突条３８のそれぞれに対応する位置に上下方向に延在する３つのガイド溝４０が設けられている。ガイド突条３８がガイド溝４０に上下方向に摺動可能に受容されることにより、テーブル８は、傾いたり上下方向軸に対して回転したりせずに上下動可能となる。
【００２７】
圧縮コイルばね１０は、下端側がベース部材１８の底板２２の上面の中央に設けられた円筒状の突起４２にはめ込まれ、上端側がテーブル本体３４の下面の中央に設けられた円筒状の突起４４に緩くはめ込まれ、ベース部材１８に対してテーブル８を上方に向けて付勢している。テーブル本体３４の円筒状の突起４４の外径は、ベース部材１８の円筒状の突起４２の内径よりも小さく、テーブル８が下降したときは、テーブル本体３４の円筒状の突起４４は、ベース部材１８の円筒状の突起４２の内側に受容される（図８参照）。
【００２８】
３つの可動保持体１２は、互いに同型であって、その各々は、上下方向に延在する回動軸体４６と、回動軸体４６を基端として概ねテーブル８及び筒部材２０の周方向に沿って湾曲して延出するアーム４８とを有する。本実施形態では、アーム４８は、平面視で周方向の時計回りに延出しているが、反時計回りに延出してもよい。回動軸体４６は、アーム４８よりも上下方向に突出しており、突出部分は概ね円柱形状を呈する。回動軸体４６の下側がベース部材１８の底板２２の周縁近傍に設けられた円形の下側軸受孔５０に軸支されるように受容され、回動軸体４６の上側が筒部材２０のフランジ２８に設けられた円形の上側軸受孔５２に軸支されるように受容されることによって、可動保持体１２は、回動可能にハウジング６に保持され、アーム４８の遊端側が容器の側面に対して近接離反する方向、すなわち３つの可動保持体１２によって形成される収容空間の輪郭の内外方向に移動可能となる。
【００２９】
アーム４８は、平面視で、遊端側に向かうに従って内外方向の厚みが厚くなっている。可動保持体１２の外側への回動限度は、アーム４８が筒部材２０の内周面に当接する位置で規定される。アーム４８の内周側の面は滑らかな面で形成されており、外周側は周方向に延在するリブ５４により補強されている。内周側の面の上部は、上方に向かうに従って外側に向かう傾斜面５６となっている。内周側の面の下部は、概ね上下方向に平行となっており、その遊端側は、平面視で、フランジ２８の内周よりも内側に位置する。アーム４８の遊端側は、隣接する可動保持体１２の回動軸体４６及びアーム４８の基端側と干渉しない形状、配置及び構造となっている。アーム４８の下端が、テーブル８の周縁部の上面を係止することにより、テーブル８の可動範囲の上端側の限度が規定されている。
【００３０】
３つのねじりコイルばね１４は、それぞれ、リンク片１６を介して対応する可動保持体１２を内側に向けて付勢している。
【００３１】
３つのリンク片１６は、互いに同型であって、それぞれ、対応する可動保持体１２に取り付けられる。リンク片１６は、上下方向に貫通孔が形成されたカラー５８と、上下方向に主面を有して概ね平板状を呈するとともにカラー５８の下端部を基端側として延出する変位板６０とを有する。可動保持体１２の回動軸体４６の下端側は、カラー５８及びねじりコイルばね１４のコイル部を貫通した後ベース部材１８の下側軸受孔５０に受容される。回動軸体４６のカラー５８に受容される部分にはキー６２が形成され、カラー５８の内側にはキー６２に係合するキー溝６４が形成されている。そのため、リンク片１６は、可動保持体１２に対して回動軸体４６まわりに相対的に回転せず、ベース部材１８に対して可動保持体１２と一体に回動する。
【００３２】
変位板６０は、その主要部分が底板２２の上面とテーブル８の下面との間に配置されるように、カラー５８が設けられた基端側からテーブル８及び底板２２の径方向の中間まで延出し、遊端に向かうにつれてわずかに幅が広くなっている。変位板６０の遊端側は、可動保持体１２の回動に連動してテーブル８に対して変位する。変位板６０の遊端側には、円形に貫通した係合孔６６が回動軸体４６に対する円弧線上に３つ設けられている。３つの係合孔６６は、それぞれ隣接する係合孔６６と連通しており、全体として中間に２つの狭窄部６８が形成された長孔７０を形成している。テーブル８の下面には、円柱状に下方に突出したボス７２が設けられている。係合孔６６とボス７２とは、係合構造を構成する。ボス７２は３つ設けられており、それぞれ、対応するリンク片１６の３つの係合孔６６に選択的に係合可能で、係合するとリンク片１６の変位を規制する。
【００３３】
ベース部材１８の上面には、変位板６０の遊端側を下方から支持する円弧状の支持突条７４が設けられている。支持突条７４は、下降したテーブル８を変位板６０を介して下方から支持することにより、テーブル８の可動範囲の下端を規定する。さらに、ベース部材１８の底板２２の上面の半径方向の中間位置に、円筒状の突起７６が３つ互いに等間隔で設けられている。テーブル８が可動範囲の下端にあるときに、テーブル８が傾き又は撓むと突起７６に当接するため、テーブル８の大きな傾き又は撓みが防止される。
【００３４】
変位板６０の下面において、延出方向に沿った両辺の内の付勢方向側の辺の近傍には、ねじりコイルばね１４の一端側を係止するべく、下方に延出した後、変位板６０の下面に対向するように屈折した係止片７８が形成されている。ねじりコイルばね１４の一端側が係止片７８に係止され、他端側がベース部材１８の周壁２４に係止されることにより、リンク片１６と連動する可動保持体１２は、アーム４８の遊端側が内側に向かう方向、すなわち保持される容器の側面に近接する方向に付勢される。なお、変位板６０の下面において、係止片７８が設置された辺とは反対側の辺の近傍には、第２係止片８０が形成されている。第２係止片８０は、下方に延出した後、変位板６０の下面に対向するように屈折している。図示しない第２のねじりコイルばねの両端を第２係止片８０及び周壁２４に係止させ、ねじりコイルばね１４と反対方向にリンク片１６を介して可動保持体１２を付勢し、容器を保持していないときは、両者の釣り合いが取れる位置に可動保持体１２が位置するようにしてもよい。また、ストッパを設けて、可動保持体１２の可動範囲の内側の限度を規定してもよい。
【００３５】
テーブル８、可動保持体１２、リンク片１６、ベース部材１８及び筒部材２０は、樹脂を素材とする射出成形品であるが、金属等の他の素材を用いてもよい。
【００３６】
次に、図７及び図８を参照して、本実施形態に係るカップホルダ２の作用について説明する。
【００３７】
カップホルダ２に容器が保持されていないときは、可動保持体１２によって構成される保持空間が、容器よりも狭くなっている。また、図７に示すように、テーブル８は、圧縮コイルばね１０によって上方に付勢されており、テーブル８の周縁部の上面が、アーム４８の下端に当接しており、テーブル本体３４の下面に設けられたボス７２は、変位板６０に形成された係合孔６６から離間している。
【００３８】
使用者が、容器を保持空間に入れようとすると、容器の底が可動保持体１２のアーム４８の傾斜面５６にぶつかる。この状態からさらに容器が保持空間に押し込まれると、容器の底がアーム４８の傾斜面５６を摺動することによって、可動保持体１２がねじりコイルばね１４の付勢力に抗して回動し、アーム４８が容器側面から離間する方向に移動する。３つの可動保持体１２は、互いを連動させる構造を有さないため、互いに独立に回動する。容器の底、又は容器の下部における最大径を有する部分が傾斜面５６を通過すると、可動保持体１２によって構成される保持空間が容器を保持するのに適切な大きさとなる。さらに、使用者によって又は容器の重力によって容器が押し込まれると、容器の底が圧縮コイルばね１０の付勢力に抗してテーブル８を押し下げる。この段階では、テーブル８は、可動保持体１２に対して独立に下方に移動する。図８に示すように、テーブル本体３４の下面に設けられた３つのボス７２が、それぞれ対応するリンク片１６の変位板６０の３つの係合孔６６のいずれかに係合するとともに、テーブル８は、ベース部材１８に設けられた支持突条７４に支持された変位板６０に当接して下降が止まる。圧縮コイルばね１０の付勢力は、容器及びその内容物の重力と容器及びアーム４８間の摩擦力との合計より小さくなるように設定されている。そのため、容器を受容している間は、テーブル８は容器によって押し下げられた状態に維持される。
【００３９】
ボス７２が係合孔６６に係合すると、リンク片１６と一体に回動する可動保持体１２は、アーム４８が容器の側面を挟持している位置でロックされる。水平方向の振動や加速度の発生によって加わる力に対しては、テーブル８が押し下げられた状態に維持されるため、ボス７２と係合孔６６との係合は解除されることはなく、アーム４８による容器の挟持が維持される。また、ボス７２と係合孔６６との間には所定の係合深さがあるため、自動車が上下に振動し、テーブル８がハウジング６に対して多少上下動したとしても、可動保持体１２のロックは維持され、容器はアーム４８に挟持された状態に保たれるため転倒しない。このように、自動車の振動及び加速度に対して、アーム４８による容器の挟持状態が維持されるため、カップホルダ２は、容器の高さに対して底が浅くとも、容器を保持できる。
【００４０】
また、各々の可動保持体１２が互いに独立に回動し、かつ各々のリンク片１６に３つの係合孔６６が形成されているため、容器の大きさに合わせて保持空間の大きさが調整される。具体的には、２７通りの係合状態がある。各可動保持体がロックされる位置を「１」、「２」及び「３」とあらわすと、例えば、（１，１，２）と（１，２，１）と（２，１，１）とは、係合状態は異なるものの保持空間の大きさは等しい。よって、保持空間の大きさは（１，１，１）、（１，１，２）、（１，１，３）、（１，２，２）、（１，２，３）、（２，２，２）、（２，２，３）、（２，３，３）、（３，３，３）の９通りとなり、様々な大きさの容器に対応できる。さらに、係合孔６６は、互いに連通するように近接しているため、保持空間の大きさが微調整できる。
【００４１】
使用者が容器を取り出すと、圧縮コイルばね１０の付勢力によって、テーブル８が上方に移動し、ボス７２と係合孔６６との係合が解除される。すると、ねじりコイルばね１４の付勢力により、アーム４８が内側に移動し、図７に示す状態に戻る。
【００４２】
以上で具体的実施形態の説明を終えるが、本発明は上記実施形態に限定されることなく幅広く変形実施することができる。カップホルダは、インストルメントパネル上だけでなく、自動車の車室内の他の位置、列車や飛行機の室内、映画館等の建築物に設けられた座席等にも設置できる。可動保持体は、回動するものではなくスライド移動するものとしてもよい。係合孔の数を変更してもよく、係合孔を有底孔に変えてもよい。また、ボス及び係合孔からなる係合構造を、円柱形状以外の凸部及びこれに対応する溝等の凹部からなるものとしてよい。さらに、このような係合構造は、テーブルに凹部又は孔を設け、リンク片に凸部を設けてもよい。さらに、凸部を複数設け、凹部又は孔を１つとしてもよい。また、係合構造の一方を凹凸の繰り返しパターンが形成されたものとし、他方をそれに係合する凹凸の繰り返しパターンが長く連続したものであってもよい。また、係合構造は、可動保持体の離反方向への移動のみを規制するもの、例えばラチェット構造であってもよい。また、可動保持体及びリンク片の数は変更してもよい。可動保持体及びリンク片を１つにする場合は、筒部材に固定保持体を取り付け又は形成して、固定保持体と可動保持体とで容器を挟持する。
【符号の説明】
【００４３】
２...カップホルダ、６...ハウジング、８...テーブル、１０...圧縮コイルばね（テーブル付勢手段）、１２...可動保持体、１４...ねじりコイルばね（保持体付勢手段）、１６...リンク片、５６...傾斜面、６６...係合孔、６８...狭窄部、７０...長孔、７２...ボス（凸部）
【図１】
2016159659.tif 000003
【図２】
2016159659.tif 000004
【図３】
2016159659.tif 000005
【図４】
2016159659.tif 000006
【図５】
2016159659.tif 000007
【図６】
2016159659.tif 000008
【図７】
2016159659.tif 000009
【図８】
2016159659.tif 000010